(57)【特許請求の範囲】
【請求項１】
記録部に供給された記録媒体に対し、入力されたテンプレート画像に基づいて記録動作を行う記録手段を備えた情報処理機器において、
前記記録部に供給される記録媒体の縦横比を判別する記録媒体判別手段と、
前記テンプレート画像の縦横比を判別する画像判別手段と、
前記画像判別手段と記録媒体判別手段の各々の判別結果に基づき、前記テンプレート画像と前記記録媒体の縦横比との適合状態を判定する判定手段と、
前記判定手段により、前記テンプレート画像と前記記録媒体の縦横比とが適合していると判定した場合には、前記テンプレート画像と前記記録媒体とを用いて記録動作を実行し、前記判定手段により、前記テンプレート画像と前記記録媒体の縦横比とが適合しないと判定した場合には、警告表示を行うように制御する制御手段と、を備えたことを特徴とする情報処理機器。
【請求項２】
さらに、前記記録媒体を前記記録部へ供給可能に収納する記録媒体収納容器であって、前記記録媒体収納容器に収納される記録媒体の媒体情報を格納した媒体情報格納手段を有している記憶媒体収納容器と結合する結合部と、
前記結合部を介して、前記媒体情報格納手段から前記媒体情報を読み出す媒体情報読み出し手段と、を有し、
前記記録媒体判別手段は、前記媒体情報読み出し手段により読み出された媒体情報を用いて記録媒体の縦横比を判別することを特徴とする請求項１に記載の情報処理機器。
【請求項３】
入射する光学像を電気的画像信号に変換することにより入力画像情報を送出する撮像部を設けたことを特徴とする請求項１または２に記載の情報処理機器。
【請求項４】
前記制御手段の制御による前記警告表示後のユーザの指示により、前記記録手段による記録動作を実行可能としたことを特徴とする請求項１ないし３のいずれか１項に記載の情報処理機器。
【請求項５】
前記判定手段は、前記画像判別手段と記録媒体判別手段の各々の判別結果に基づき、前記テンプレート画像と記録媒体の縦横比の適合の程度を判定し、前記制御手段は、前記テンプレート画像と記録媒体の縦横比との適合の程度に基づき、前記警告表示の内容を変更することを特徴とする請求項１ないし４のいずれか１項に記載の情報処理機器。
【請求項６】
前記判定手段は、前記画像判別手段と記録媒体判別手段の各判別結果に基づき、前記テンプレート画像と記録媒体の縦横比の不適合の程度を、記録結果にもたらす影響の程度として判定し、
前記制御手段は、前記不適合が記録結果にもたらす影響の程度に応じて前記警告表示の内容の重要度を切り換えることを特徴とする請求項１ないし５のいずれか１項に記載の情報処理機器。
【請求項７】
記録部に供給された記録媒体に対し、入力されたテンプレート画像に基づいて記録動作を行う記録手段を備えた情報処理機器の画像記録制御方法において、
前記記録部に供給される記録媒体の縦横比を判別する記録媒体判別ステップと、
前記テンプレート画像の縦横比を判別する画像判別ステップと、
前記画像判別手段と記録媒体判別ステップの各々の判別結果に基づき、前記テンプレート画像と前記記録媒体の縦横比との適合状態を判定する判定ステップと、
前記判定ステップにより、前記テンプレート画像と前記記録媒体の縦横比とが適合していると判定した場合には、前記テンプレート画像と前記記録媒体とを用いて記録動作を実行し、前記判定ステップにより、前記テンプレート画像と前記記録媒体の縦横比とが適合しないと判定した場合には、警告表示を行うように制御する制御ステップと、を備えたことを特徴とする情報処理機器の画像記録制御方法。
【発明の詳細な説明】
【０００１】
【発明の属する技術分野】
本発明は、入力された画像情報に基づき記録媒体に対して記録を行う記録手段を備えた情報処理機器に関し、特に、使用する記録媒体と形成するべき画像との適合化を図ることができる情報処理機器及び情報処理機器の画像記録制御装置に関する。
【０００２】
【従来の技術】
光学像を電気的画像情報に変換し、その画像情報を所定の記憶媒体に格納し得るようにした所謂デジタルカメラが、現在、急速に普及している。このデジタルカメラの普及の背景には、撮影した画像をカメラ自体に設けられる表示部や所定のディスプレイによって再生し得ると共に、プリンタ等の記録装置に接続して用紙などの記録媒体に容易に出力することができるという出力形態の自由度の高さ出力の容易性及び即時性などがあるが、さらに、ＣＣＤなどの固体撮像素子における解像度の向上、及び撮影画像を出力するプリンタの高性能化も大きく影響している。殊に、現在では、撮影した画像をその場で直ちに記録し得るようにした記録装置内蔵型の撮像装置（以下、この撮像装置をプリンタ内蔵カメラと称す）が提案されており、ここでは、記録装置の高画質化に加え、小型軽量化が達成されている。
【０００３】
このプリンタ内蔵カメラの画像処理方法に関しては、例えば特開2000-115688号公報に開示されたものがある。この公開公報に開示の技術は、デジタルカメラが記録画像の選択手段を有し、選択された画像データを無線を介して画像処理サーバーに送り、画像処理サーバーで展開処理されたデータを再びカメラで受信して、記録を行う方法が開示されている。
【０００４】
【発明が解決しようとする課題】
しかしながら、上記のようなプリンタ内蔵カメラなどをはじめとする従来の記録装置では、カメラ本体に装填されている記録媒体の種類と画像データとが適合せず、所望の画像を記録できないことがあるという問題があった。例えば、デザインテンプレートデータを用いて定型記録を行う際、テンプレートデータの記録に要する用紙の種類と、実際にカメラ本体に装填されている用紙の種類が異なっていたとしても、記録動作開始指令を入力すれば記録動作は実行されてしまい、場合によっては記録された結果が無駄になることもあり、記録コストの増大を招くという問題があった。また、例えば記録範囲が用紙のサイズを超えていた場合には、インクなどの記録剤が飛散して装置内を汚損するだけでなく、故障を誘発する可能性もあった。特に、上記公報に記載のプリンタ内蔵カメラのように、画像データを画像処理サーバーなどで展開処理するものにあっては、データ処理された画像の状態を確実に把握することは困難であり、適合する記録媒体の選択、判断が困難かつ面倒であり、記録結果を見てその適否を判断するということも多く、これが記録コストの増大を招いていた。
【０００５】
本発明は、上記従来技術の課題に着目してなされたもので、形成すべき画像と記録媒体との適合を図ることでき、容易かつ安価に画像を記録することができる情報処理機器、画像形成装置及び情報処理機器の画像記録制御方法の提供を目的とする。
【０００６】
【課題を解決するための手段】
上記課題を解決するため、本願発明は、次のような構成を有するものとなっている。
すなわち、本願の第１の発明は、記録部に供給された記録媒体に対し、入力されたテンプレート画像に基づいて記録動作を行う記録手段を備えた情報処理機器において、前記記録部に供給される記録媒体の縦横比を判別する記録媒体判別手段と、前記テンプレート画像の縦横比を判別する画像判別手段と、前記画像判別手段と記録媒体判別手段の各々の判別結果に基づき、前記テンプレート画像と前記記録媒体の縦横比との適合状態を判定する判定手段と、前記判定手段により、前記テンプレート画像と前記記録媒体の縦横比とが適合していると判定した場合には、前記テンプレート画像と前記記録媒体とを用いて記録動作を実行し、前記判定手段により、前記テンプレート画像と前記記録媒体の縦横比とが適合しないと判定した場合には、警告表示を行うように制御する制御手段と、を備えたことを特徴とする。
【０００８】
また、本願の第２の発明は、記録部に供給された記録媒体に対し、入力されたテンプレート画像に基づいて記録動作を行う記録手段を備えた情報処理機器の画像記録制御方法において、前記記録部に供給される記録媒体の縦横比を判別する記録媒体判別ステップと、前記テンプレート画像の縦横比を判別する画像判別ステップと、前記画像判別手段と記録媒体判別ステップの各々の判別結果に基づき、前記テンプレート画像と前記記録媒体の縦横比との適合状態を判定する判定ステップと、前記判定ステップにより、前記テンプレート画像と前記記録媒体の縦横比とが適合していると判定した場合には、前記テンプレート画像と前記記録媒体とを用いて記録動作を実行し、前記判定ステップにより、前記テンプレート画像と前記記録媒体の縦横比とが適合しないと判定した場合には、警告表示を行うように制御する制御ステップと、を備えたことを特徴とする。
【００１１】
【発明の実施の形態】
以下、本発明の実施形態を図面に基づいて説明する。
【００１２】
本明細書において、「プリント」（「記録」という場合もある）とは、文字、図形等有意の情報を形成する場合のみならず、有意無意を問わず、また人間が視覚で知覚し得るように顕在化したものであるか否かを問わず、広くプリント媒体上に画像、模様、パターン等を形成する場合、またはプリント媒体の加工を行う場合を言うものとする。
【００１３】
また、「プリント媒体」とは、一般的なプリント装置で用いられる紙のみならず、広く、布、プラスチック・フィルム、金属板等、ガラス、セラミックス、木材、皮革等、インクを受容可能な物も言うものとするが、以下では「用紙」または単に「紙」ともいうものとする。また、本明細書において、「カメラ」とは光学的に撮像し、光学像を電気信号に変換する機器やデバイスを示すものであり、以下の説明において「撮像部」とも称する。
【００１４】
さらに、「インク」（「液体」という場合もある）とは、上記「プリント」の定義と同様広く解釈されるべきものであり、プリント媒体上に付与されることによって、画像、模様、パターン等の形成、プリント媒体の加工、或いはインクの処理（例えば、プリント媒体に付与されるインク中の色材の凝固または不溶化）に供される液体を言うものとする。なお、本発明が有効に用いられるヘッドの一形態は、電気熱変換体が発生する熱エネルギーを利用して液体に膜沸騰を生じさせ気泡を形成する形態である。
【００１５】
「基本構成」
まず、図１から図１４に基づいて、本発明に係る装置の基本構成について説明する。本例において説明する装置は、光学的に撮像して電気信号に変換する撮像部（以下、「カメラ部」とも称する）と、撮像して得られた電気信号に基づいて画像の記録を行う画像記録部（以下、「プリンタ部」とも称する）とを備えた情報処理機器として構成されている。以下、本例で説明する情報処理機器を「プリンタ内蔵カメラ」と称して説明する。
装置本体Ａ００１においては、カメラ部Ａ１００の背面側にプリンタ部（記録装置部）Ｂ１００が一体的に組み込まれている。プリンタ部Ｂ１００は、メディアパックＣ１００から供給されるインクとプリント媒体を用いて画像を記録する。本構成では、装置本体Ａ００１から外装を外して背面側から見た図５から明らかなように、装置本体Ａ００１の同図中の右手側にメディアパックＣ１００が挿入され、装置本体Ａ００１の同図中左手側にプリンタ部Ｂ１００が配置される。プリンタ部Ｂ１００によって記録を行う場合には、カメラ部Ａ１００における後述の液晶表示部Ａ１０５を上側、レンズＡ１０１を下側にするように、装置本体Ａ００１を置いた姿勢とすることができる。この記録姿勢において、プリンタ部Ｂ１００における後述の記録ヘッドＢ１２０は、インクを下向きに吐出する姿勢となる。記録姿勢は、カメラ部Ａ１００による撮影状態の姿勢と同様の姿勢とすることも可能であり、上記の記録姿勢に限られることはない。記録動作の安定性の面からは、上記のインクを下向きに吐出する記録姿勢が好ましい。
【００１６】
以下においては、本例の装置の機械的な基本構成をＡ「カメラ部」、Ｂ「メディアパック」、Ｃ「プリンタ部」とに分けて説明し、また、信号処理系の基本構成はＤ「信号処理系」として説明する。
【００１７】
Ａ「カメラ部」
カメラ部Ａ１００は、基本的には、一般的なデジタルカメラを構成するものであり、後述するプリンタ部Ｂ１００と共に装置本体Ａ００１に一体的に組み合わせられることによって、図１から図３のような外観のプリンタ内蔵のデジタルカメラを構成する。図１から図３において、Ａ１０１はレンズ、Ａ１０２はファインダー、Ａ１０２ａはファインダー窓、Ａ１０３はストロボ、Ａ１０４はレリーズボタン、Ａ１０５は液晶表示部（外部表示部）である。カメラ部Ａ１００は、後述するように、ＣＣＤを用いて撮像したデータの処理、コンパクトフラッシュメモリカード（ＣＦカード）Ａ１０７への画像の記憶、画像の表示、プリンタ部Ｂ１００との間の各種データの授受等をする。Ａ１０９は、撮影された画像を後述のプリント媒体Ｃ１０４に記録した場合に、画像が記録されたプリント媒体Ｃ１０４が排出される排出部である。図５に示されるＡ１０８は、カメラ部Ａ１００およびプリンタ部Ｂ１００の電源としての電池である。
【００１８】
Ｂ「メディアパック」
メディアパックＣ１００は、装置本体Ａ００１に対して着脱可能であり、本例の場合は、装置本体Ａ００１の挿入部Ａ００２（図３参照）から差し込まれることによって、図１のように装置本体Ａ００１に装着される。挿入部Ａ００２は、メディアパックＣ１００が装着されていないときは図３のように閉じられており、それが装着されるときに開かれる。図５は、メディアパックＣ１００が装着された装置本体Ａ００１から、外装を外した状態を示す。メディアパックＣ１００のパック本体Ｃ１０１には、図４のように、シャッターＣ１０２が矢印Ｄ方向にスライド可能に備えられている。シャッターＣ１０２は、メディアパックＣ１００が装置本体Ａ００１に装着されていないときには図４中の２点鎖線の位置にスライドしており、メディアパックＣ１００が装置本体Ａ００１に装着されたときには、図４中の実線の位置にスライドする。
【００１９】
パック本体Ｃ１０１には、インクパックＣ１０３とプリント媒体Ｃ１０４が収容されている。図４において、インクパックＣ１０３は、プリント媒体Ｃ１０４の下方に収容される。本例の場合、インクパックＣ１０３は、Ｙ（イエロー），Ｍ（マゼンタ），Ｃ（シアン）のインクを個別に収容するように３つ備えられており、またプリント媒体Ｃ１０４は２０枚程度重ねて収容されている。それらのインクとプリント媒体Ｃ１０４は、画像の記録に最適な組合せのものが選択された上、同じメディアパックＣ１００内に収容されている。したがって、インクとプリント媒体の組合せが異なる種々のメディアパックＣ１００（例えば、超高画質用、ノーマル画質用、シール（分割シール）用等のメディアパック）を用意しておいて、記録すべき画像の種類、および画像が形成されたプリント媒体の用途などに応じて、それらのメディアパックＣ１００を選択的に装置本体Ａ００１に装着することにより、最適な組合せのインクとプリント媒体を用いて、目的に応じた画像を確実に記録することができる。また、メディアパックＣ１００には後述するＥＥＰＲＯＭ（識別ＩＣ）が備えられており、そのＥＥＰＲＯＭには、メディアパックが収容しているインクとプリント媒体の種類や残量などの識別データが記憶される。
【００２０】
インクパックＣ１０３は、メディアパックＣ１００が装置本体Ａ００１に装着されたときに、Ｙ，Ｍ，Ｃのインクのそれぞれに対応する３つのジョイントＣ１０５を通して、後述する装置本体Ａ００１側のインク供給系に接続される。一方、プリント媒体Ｃ１０４は、図示しない分離機構によって一枚ずつ分離されてから、後述する給紙ローラＣ１１０（図９参照）によって矢印Ｃ方向に送り出される。その給紙ローラＣ１１０の駆動力は、装置本体Ａ００１側に備わる後述の搬送モータＭ００２（図９参照）から、連結部Ｃ１１０ａを介して供給される。
【００２１】
また、パック本体Ｃ１０１には、後述するプリンタ部の記録ヘッドをワイピングするためのワイパーＣ１０６と、そのプリンタ部から排出された廃インクを吸収するためのインク吸収体Ｃ１０７と、が備えられている。プリンタ部における記録ヘッドは、後述するように矢印Ａの主走査方向に往復移動する。メディアパックＣ１００が装置本体Ａ００１から外されているときは、シャッターＣ１０２が図４中の２点鎖線の位置にスライドして、ジョイントＣ１０５、ワイパーＣ１０６、およびインク吸収体Ｃ１０７などを保護する。
【００２２】
Ｃ「プリンタ部」
本例のプリンタ部Ｂ１００は、インクジェット記録ヘッドを用いるシリアルタイプである。このプリンタ部Ｂ１００については、Ｃ−１「プリント動作部」、Ｃ−２「プリント媒体搬送系」、およびＣ−３「インク供給系」に分けて説明する。
【００２３】
Ｃ−１「プリント動作部」
図６は、プリンタ部Ｂ１００全体の斜視図、図７は、プリンタ部Ｂ１００の一部を取り外した斜視図である。
【００２４】
プリンタ部Ｂ１００の本体内部の定位置には、図５のように、装置本体Ａ００１に装着されたメディアパックＣ１００の先端部分が位置する。メディアパックＣ１００から矢印Ｃ方向に送り出されたプリント媒体Ｃ１０４は、後述するプリント媒体搬送系におけるＬＦローラＢ１０１とＬＦピンチローラＢ１０２との間に挟まれつつ、プラテンＢ１０３上にて矢印Ｂの副走査方向に搬送される。Ｂ１０４は、ガイド軸Ｂ１０５とリードスクリューＢ１０６に沿って矢印Ａの主走査方向に往復移動されるキャリッジである。
【００２５】
キャリッジＢ１０４には、図８のように、ガイド軸Ｂ１０５用の軸受けＢ１０７と、リードスクリューＢ１０６用の軸受けＢ１０８が設けられている。キャリッジＢ１０４の定位置には、図７のように、軸受けＢ１０８の内側に突出するスクリューピンＢ１０９がばねＢ１１０によって取り付けられている。そして、リードスクリューＢ１０６の外周部に形成された螺旋溝に対して、スクリューピンＢ１０９の先端がはまり合うことによって、リードスクリューＢ１０６の回転がキャリッジＢ１０４の往復移動に変換される。
【００２６】
また、キャリッジＢ１０４には、Ｙ，Ｍ，Ｃのインクを吐出可能なインクジェット記録ヘッドＢ１２０と、その記録ヘッドＢ１２０に供給されるインクを収容するサブタンク（図示せず）が搭載されている。記録ヘッドＢ１２０には、矢印Ａの主走査方向と交差する方向（本例の場合は、直交する方向）に沿って並ぶ複数のインク吐出口Ｂ１２１（図８参照）が形成されている。インク吐出口Ｂ１２１は、サブタンクから供給されたインクを吐出可能なノズルを構成する。インクを吐出させるためのエネルギーの発生手段としては、ノズル毎に備えた電気熱変換体を用いることができる。その電気熱変換体は、発熱駆動されることによってノズル内のインク中に気泡を発生させ、その発泡エネルギーによってインク吐出口Ｂ１２１からインク滴を吐出させる。
【００２７】
サブタンクは、メディアパックＣ１００に収容されているインクパックＣ１０３よりも小容量であり、少なくともプリント媒体Ｃ１０４の１枚分の画像記録に必要な量のインクを収容する大きさとなっている。サブタンクにおいて、Ｙ，Ｍ，Ｃのインク毎のインク収容部分には、それぞれインク供給部と負圧導入部が形成されており、それらのインク供給部は対応する３つの中空のニードルＢ１２２に個別に接続され、また、それらの負圧導入部は共通の供給エアー口Ｂ１２３に接続されている。このようなサブタンクには、後述するように、キャリッジＢ１０４が図６のようなホームポジションに移動したときに、メディアパックＣ１００のインクパックＣ１０３からインクが補給される。
【００２８】
図８のキャリッジＢ１０４において、Ｂ１２４はニードルカバーであり、ニードルＢ１２２とジョイントＣ１０５とが連結していないときは、スプリングの力によって同図のように、ニードルＢ１２２を保護する位置に移動しており、ニードルＢ１２２とジョイントＣ１０５とが連結するときは、スプリングの力に抗して同図中の上方に押されてニードルＢ１２２の保護を解く。キャリッジＢ１０４の移動位置は、キャリッジＢ１０４側のエンコーダセンサＢ１３１と、プリンタ部Ｂ１００の本体側のリニアスケールＢ１３２（図６参照）と、によって検出される。また、キャリッジＢ１０４がホームポジションに移動したことは、キャリッジＢ１０４側のＨＰ（ホームポジション）フラグＢ１３３と、プリンタ部Ｂ１００の本体側のＨＰセンサＢ１３４（図７参照）と、によって検出される。
【００２９】
図７において、ガイド軸Ｂ１０５の両端には、その中心軸から偏心した位置に支軸（図示せず）が設けられている。ガイド軸Ｂ１０５は、その支軸を中心として回動調整されることにより、キャリッジＢ１０４の位置が調整されて、記録ヘッドＢ１２０と、プラテンＢ１０３上のプリント媒体Ｃ１０４と、の間の距離（「紙間距離」ともいう）が調整される。また、リードスクリューＢ１０６は、スクリューギアＢ１４１、アイドラギアＢ１４２、およびモータギアＢ１４３を介して、キャリッジモータＭ００１によって回転駆動される。また、Ｂ１５０は、後述する制御系と記録ヘッドＢ１２０とを電気的に接続するためのフレキシブルケーブルである。
【００３０】
記録ヘッドＢ１２０は、キャリッジＢ１０４と共に矢印Ａの主走査方向に移動しつつ、画像信号に応じてインク吐出口Ｂ１２１からインクを吐出することによって、プラテンＢ１０３上のプリント媒体に１行分の画像を記録する。このような記録ヘッドＢ１２０による１行分の記録動作と、後述するプリント媒体搬送系による矢印Ｂの副走査方向におけるプリント媒体の所定量の搬送動作と、を繰り返すことによって、プリント媒体上に順次画像を記録する。
【００３１】
Ｃ−２「プリント媒体搬送系」
図９は、プリンタ部Ｂ１００におけるプリント媒体搬送系の構成部分の斜視図である。図９において、Ｂ２０１は対の排紙ローラであり、同図中上側の一方の排紙ローラＢ２０１は、排紙ローラギアＢ２０２と中継ギアＢ２０３を介して、搬送モータＭ００２により駆動される。同様に、前述したＬＦローラＢ１０１は、ＬＦローラギアＢ２０４と中継ギアＢ２０３を介して、搬送モータＭ００２により駆動される。排紙ローラＢ２０１とＬＦローラＢ１０１は、搬送モータＭ００２の正転時の駆動力によって、プリント媒体Ｃ１０４を矢印Ｂの副走査方向に搬送する。
【００３２】
一方、搬送モータＭ００２が逆転したときは、切り替えスライダＢ２１１および切り替えカムＢ２１２を介して、圧板ヘッドＢ２１３と図示しないロック機構が駆動されると共に、メディアパックＣ１００側の搬送ローラＣ１１０に駆動力が伝達される。すなわち、圧板ヘッドＢ２１３は、搬送モータＭ００２の逆転時の駆動力によって、メディアパックＣ１００のシャッターＣ１０２の窓部Ｃ１０２Ａ（図４参照）を通って、メディアパックＣ１００内に集積されているプリント媒体Ｃ１０４を図４中の下方に押圧する。これにより、図４中の最下位置のプリント媒体Ｃ１０４がメディアパックＣ１００内の搬送ローラＣ１１０上に押し付けられる。また、図示しないロック機構は、搬送モータＭ００２の逆転時の駆動力によって、装置本体Ａ００１に対してメディアパックＣ１００をロックしてメディアパックＣ１００の取り外しを禁止する。また、メディアパックＣ１００側の搬送ローラＣ１１０は、搬送モータＭ００２の逆転時の駆動力が伝達されることによって、図４中最下位置の１枚のプリント媒体Ｃ１０４を矢印Ｃ方向に搬出する。
【００３３】
このように、搬送モータＭ００２が逆転することによって、メディアパックＣ１００からプリント媒体Ｃ１０４が１枚だけ矢印Ｃ方向に取り出され、その後、搬送モータＭ００２が正転することによって、そのプリント媒体Ｃ１０４が矢印Ｂ方向に搬送される。
【００３４】
Ｃ−３「インク供給系」
図１０は、プリンタ部Ｂ１００におけるインク供給系の構成部分の斜視図、図１１は、そのインク供給系の構成部分にメディアパックＣ１００が装着されたときの平面図である。
【００３５】
プリンタ部Ｂ１００に装着されたメディアパックＣ１００のジョイントＣ１０５は、ホームポジションに移動したキャリッジＢ１０４側のニードルＢ１２２（図８参照）の下に位置する。プリンタ部Ｂ１００の本体には、ジョイントＣ１０５の下方に位置するジョイントフォークＢ３０１（図１０参照）が備えられており、そのジョイントフォークＢ３０１がジョイントＣ１０５を上動させることにより、ジョイントＣ１０５がニードルＢ１２２に接続される。これにより、メディアパックＣ１００側のインクパックＣ１０３と、キャリッジＢ１０４側のサブタンクのインク供給部と、の間のインク供給路が形成される。また、プリンタ部Ｂ１００の本体には、ホームポジションに移動したキャリッジＢ１０４の供給エアー口Ｂ１２３（図８参照）の下に位置する供給ジョイントＢ３０２が備えられている。この供給ジョイントＢ３０２は、供給チューブＢ３０３を介して、負圧発生源としてのポンプのポンプシリンダＢ３０４に接続されている。供給ジョイントＢ３０２は、ジョイントリフタＢ３０５によって上動されることにより、キャリッジＢ１０４側の供給エアー口Ｂ１２３に接続される。これにより、キャリッジＢ１０４側のサブタンクの負圧導入部と、ポンプシリンダＢ３０４と、の間の負圧導入路が形成される。ジョイントリフタＢ３０５は、ジョイントモータＭ００３の駆動力によって、供給ジョイントＢ３０２と共にジョイントフォークＢ３０１を上下動させる。
【００３６】
サブタンクの負圧導入部には、空気の通過を許容し、かつインクの通過を阻止する気液分離部材（図示せず）が備えられている。気液分離部材は、負圧導入路を通して吸引されるサブタンク内の空気の通過を許容し、これによりメディアパックＣ１００からサブタンクにインクが補給される。そして、サブタンク内のインクが気液分離部材に達するまで、インクが充分に補給されたときに、その気液分離部材がインクの通過を阻止することにより、インクの補給が自動的に停止する。気液分離部材は、サブタンクのインク毎のインク収容部分におけるインク供給部に備えられており、それらのインク収容部分毎に、インクの補給を自動的に停止させる。
【００３７】
また、プリンタ部Ｂ１００の本体には、ホームポジションに移動したキャリッジＢ１０４側の記録ヘッドＢ１２０（図８参照）に対して、キャッピングが可能な吸引キャップＢ３１０が備えられている。吸引キャップＢ３１０は、その内部に、吸引チューブＢ３１１を通してポンプシリンダＢ３０４から負圧が導入されることによって、記録ヘッドＢ１２０のインク吐出口Ｂ１２１からインクを吸引排出（吸引回復処理）させることができる。また、記録ヘッドＢ１２０は、必要に応じて、画像の記録に寄与しないインクを吸引キャップＢ３１０内に吐出させる（予備吐出処理）。吸引キャップＢ３１０内のインクは、ポンプシリンダＢ３０４から、廃液チューブＢ３１２と廃液ジョイントＢ３１３を通して、メディアパックＣ１１０内のインク吸収体Ｃ１０７に排出される。
【００３８】
ポンプシリンダＢ３０４は、それを往復駆動するためのポンプモータＭ００４などと共にポンプユニットＢ３１５を構成する。ポンプモータＭ００４は、ワイパーリフタＢ３１６（図１０参照）を上下動させるための駆動源としても機能する。ワイパーリフタＢ３１６は、プリンタ部Ｂ１００に装着されたメディアパックＣ１００のワイパーＣ１０６を上動させることによって、そのワイパーＣ１０６を記録ヘッドＢ１２０のワイピングが可能な位置に移動させる。
【００３９】
図１０および図１１において、Ｂ３２１は、ポンプシリンダＢ３０４によって構成されるポンプの動作位置がホームポジションにあることを検出するポンプＨＰセンサである。また、Ｂ３２２は、前述したインク供給路および負圧導入路が形成されたことを検出するジョイントＨＰセンサである。また、Ｂ３２３は、プリンタ部Ｂ１００の本体を構成するシャーシである。
【００４０】
Ｄ「信号処理系」
図１２は、カメラ部Ａ１００とプリンタ部Ｂ１００の概略のブロック構成図である。
【００４１】
カメラ部Ａ１００において、１０１は撮像素子としてのＣＣＤ、１０２は音声入力のためのマイク、１０３はハードウェア処理を行なうＡＳＩＣ、１０４は画像データ等を一時的に記憶する第１メモリ、１０５は撮像画像を記憶するＣＦカード（「ＣＦカードＡ１０７」に相当）、１０６は撮影画像または再生画像を表示するＬＣＤ（「液晶表示部Ａ１０５」に相当）、１２０はカメラ部Ａ１００の制御をする第１ＣＰＵ、である。
【００４２】
プリンタ部Ｂ１００において、２１０は、カメラ部Ａ１００とプリンタ部Ｂ１００との間のインターフェース、２０１は画像処理部（画像を２値化する２値化処理部を含む）、２０２は画像処理を行なう上で使用する第２メモリ、２０３はバンドメモリ制御部、２０４はバンドメモリ、２０５はマスクメモリ、２０６はヘッド制御部、２０７は記録ヘッド（「記録ヘッドＢ１２０」に相当）、２０８はエンコーダ（「エンコーダセンサＢ１３１」に相当）、２０９はエンコーダカウンタ、２２０はプリンタ部Ｂ１００を制御する第２ＣＰＵ、２２１はモータドライバ、２２２はモータ（「モータＭ００１，Ｍ００２，Ｍ００３，Ｍ００４」に相当）、２２３はセンサ（「ＨＰセンサＢ１３４，Ｂ３２１，Ｂ３２２」を含む）、２２４はメディアパックＣ１００に内蔵されているＥＥＰＲＯＭ、２３０は音声エンコーダ部、２５０は装置全体に電源を供給する電源部（「電池Ａ１０８」に相当）、である。
【００４３】
図１３は、カメラ部Ａ１００における信号処理の説明図である。撮影モードの時は、レンズ１０７を通してＣＣＤ１０１により撮像された画像は、ＡＳＩＣ１０３により信号処理（ＣＣＤ信号処理）され、ＹＵＶ輝度２色差信号に変換される。更に、所定の解像度にリサイズされ、ＪＰＥＧ圧縮されてＣＦカード１０５に記録される。また、音声に関しては、マイク１０２より入力され、ＡＳＩＣ１０３を介してＣＦカード１０５に記憶される。音声の記録に関しては、撮影時と同時、または、撮影後のアフレコとして記憶させることができる。再生モードの時には、ＣＦカード１０５よりＪＰＥＧ画像が読み出され、ＡＳＩＣ１０３によりＪＰＥＧ伸張され、更に表示用の解像度にリサイズされてＬＣＤ１０６に表示される。
【００４４】
図１４は、プリンタ部Ｂ１００における信号処理の説明図である。
【００４５】
カメラ部Ａ１００側で再生された画像、即ちＣＦカード１０５より読み出された画像は、図１３のように、ＡＳＩＣ１０３によってＪＰＥＧ伸張され、プリントする解像度に適する解像度にリサイズされる。そして、リサイズされた画像データ（ＹＵＶ）はインターフェース部２１０を介してプリンタ部Ｂ１００へ送られる。プリンタ部Ｂ１００は、図１４のように、カメラ部Ａ１００より送られた画像データを画像処理部２０１により画像処理し、画像データのＲＧＢ信号への変換、カメラの特性に応じた入力γ補正、ルックアップテーブル（ＬＵＴ）を用いての色補正および色変換、プリントするための２値化信号への変換をする。２値化処理の際には、誤差拡散（ＥＤ）処理を行うために、誤差メモリとして第２メモリ２０２を用いる。本例の場合、画像処理部２０１における２値化処理部は誤差拡散処理を行なっているが、ディザパターンを使った２値化処理等、他の処理を行うことも可能である。２値化されたプリントデータはバンドメモリ制御部２０３によって、一旦バンドメモリ２０４に記憶される。プリンタ部Ｂ１００のエンコーダカウンタ２０９には、記録ヘッド２０７およびエンコーダ２０８を搭載したキャリッジＢ１０４が一定距離移動する毎に、エンコーダ２０８からのエンコーダパルスが入る。そして、このエンコーダパルスに同期して、バンドメモリ２０４とマスクメモリ２０５からプリントデータが読み出され、そのプリントデータに基づき、ヘッド制御部２０６が記録ヘッド２０７を制御して記録を行う。
【００４６】
図１４中のバンドメモリ制御について説明すると次のとおりである。
【００４７】
記録ヘッド２０７における複数のノズルは、例えば、１２００ｄｐｉの密度をなすように列状に形成されている。このような記録ヘッド２０７を用いて画像を記録すべく、キャリッジを１回走査させるときには、副走査方向（以下、「縦（Ｙ方向）」ともいう）においてはノズル数分、主走査方向（以下、「横（Ｘ方向）ともいう」）においては記録領域分の記録データ（１走査分の記録データ）を、予め作成しておく必要がある。記録データは、画像処理部２０１にて作成されてから、バンドメモリ制御部２０３によってバンドメモリ２０４に一旦蓄えられる。バンドメモリ２０４に１走査分の記録データが蓄えられた後、キャリッジが主走査方向に走査される。その際、エンコーダ２０８より入力されたエンコーダパルスがエンコーダカウンタ２０９によってカウントされ、このエンコーダパルスにしたがってバンドメモリ２０４から記録データが読み出され、その記録データに基づいて記録ヘッド２０７からインク滴が吐出される。記録ヘッド２０７の往走査時および復走査時に画像を記録（往路記録および復路記録）する双方向記録方式を採用した場合には、記録ヘッド２０７の走査方向に応じて、バンドメモリ２０４から画像データが読み出される。例えば、往路記録時は、バンドメモリ２０４から読み出される画像データのアドレスが順次インクリメントされ、復路記録時は、バンドメモリ２０４から読み出される画像データのアドレスが順次デクリメントされる。
【００４８】
実際には、画像処理部２０１により作成された画像データ（Ｃ，Ｍ，Ｙ）がバンドメモリ２０４に書き込まれて、１バンド分の画像データが準備されたとき、記録ヘッド２０７の走査が可能となる。そして、記録ヘッド２０７を走査し、バンドメモリ２０４より画像データを読み出して、その画像データに基づいて記録ヘッド２０７が画像を記録する。記録動作の間に、次に記録すべき画像データが画像処理部２０１にて作成され、その画像データは、その記録位置に対応するバンドメモリ２０４の領域に書き込まれる。
【００４９】
このように、バンドメモリ制御は、画像処理部２０１により作成された記録データ（Ｃ，Ｍ，Ｙ）をバンドメモリ２０４に書込む作業と、キャリッジの走査動作に合わせて、記録データ（Ｃ，Ｍ，Ｙ）をヘッド制御部２０６に送るために読み出す作業と、を切替えながら行なう。
【００５０】
図１４中のマスクメモリ制御について説明すると次のとおりである。
【００５１】
このマスクメモリ制御は、マルチパス記録方式を採用した場合に必要となる。
マルチパス記録方式の場合、記録ヘッド２０７のノズル列の長さに相当する幅をもつ１行分の記録画像は、記録ヘッド２０７の複数回の走査に分けて記録される。すなわち、副走査方向に間欠的に搬送されるプリント媒体の搬送量がノズル列の長さの１／Ｎとされ、例えば、Ｎ＝２のときは、１行分の記録画像が２回の走査に分けて記録（２パス記録）され、Ｎ＝４のときは、１行分の記録画像が４回の走査に分けて記録（４パス記録）される。同様に、Ｎ＝８のときは８パス記録、Ｎ＝１６のときは１６パス記録となる。したがって、１行分の記録画像が記録ヘッド２０７の複数回の走査によって完成されることになる。
【００５２】
実際には、マスクメモリ２０５に、画像データを記録ヘッド２０７の複数回の走査に割り当てるためのマスクデータが格納されており、そのマスクデータと画像データとの論理積（ＡＮＤ）データに基づき、記録ヘッド２０７がインクを吐出して画像を記録する。
【００５３】
また、図１４において、ＣＦカード１０５に記憶された音声データは、ＡＳＩＣ１０２により、画像データと同じように、インターフェース２１０を介してプリンタ部Ｂ１００へ送られる。プリンタ部Ｂ１００に送られた音声データは、音声エンコーダ２３０においてコード化（エンコード）されて、プリントする画像の中にコードデータとして記録される。プリント画像に音声データを入れる必要の無い時、または、音声データの無い画像をプリントする際には、当然に、コード化された音声データはプリントされず、画像のみがプリントされる。
【００５４】
本実施形態においては、カメラ部Ａ１００とプリンタ部Ｂ１００が一体となったプリンタ内蔵カメラとして説明を行なってきた。しかし、カメラ部Ａ１００とプリンタ部Ｂ１００を分離した別々の装置とし、それらをインターフェース２１０及びケーブルにより接続した構成においても同様に構成して、同様の機能を実現することが可能である。
【００５５】
「本発明の特徴」
以下、本発明の特徴における実施形態を説明する。
【００５６】
なお、この実施形態では、図１５ないし図１８に示したプリンタ内蔵カメラに用いられる記録装置を例に採り説明する。
【００５７】
図１５は本実施形態の制御系における機能を概略的に示したブロック図である。
同図において１１０１はＣＰＵ、ＲＯＭ、ＲＡＭなどを有するコンピュータなどの制御手段であり、プリンタ内蔵カメラのカメラ部  及びプリンタ部Ｂ１００における各部分の演算、判別、判定、及び制御を行う。なお、図１５に示す制御手段は、説明の煩雑化を避ける上で単一のブロックによって記載したが、より具体的には、このブロックは、図１２の基本構成に示すカメラ部Ａ１００の制御を行う制御部と、プリンタ部Ｂ１００の制御部の双方を含んだものとなっている。つまり、カメラ部Ａ１００の第１ＣＰＵ１２０及びプリンタ部Ｂ１００の第２ＣＰＵＢ１００等を含んだものとなっている。
【００５８】
また、１１０２はカメラ本体に設けられたパネルやボタンなどから構成される操作手段であり、ユーザーはこれを用いてシステムへの指令を行う。１１０３はカメラ部Ａ１００の外面に設けられた告知手段としての表示手段（図１ないし図３に示す外部表示部Ａ１０５に相当）であり、ＬＣＤなどによって構成され、記録画像の表示や作業内容の表示などを行う。１１０４は記録制御手段であり、前記カメラ部Ａ１００のカメラ側制御手段１１０１と制御データの通信を行いながら、記録データ作成手段１１０５の起動・制御・停止を行う。１１０７は記録手段であり、記録データ作成手段１１０５から送られて来た画像データを記録すると共に記録データ作成手段１１０５を通じて記録制御手段１１０４とのデータ通信を行い、適正な記録動作を保つようになっている。
【００５９】
１１１０は装置本体Ａ００１（図１ないし図３参照）に装填される記録媒体（プリント媒体）に関する情報（媒体情報）を格納する媒体情報格納手段である。
この媒体情報格納手段は、記録媒体収納容器であるメディアパックＣ１００に固定されており、メディアパックＣ１００が装置本体Ａ００１に装填された時点で、装置本体Ａ００１に設けられた図外のコネクタを介して用紙情報読取手段１０６に電気的に接続される。この用紙情報読取手段１１０６は前記制御手段に電気的に接続されており、制御手段１１０１の制御指令によって、前記媒体情報格納手段にアクセスし、媒体情報格納手段１１１０から媒体情報を読み出してその情報を制御手段へと送出するようになっている。
【００６０】
また、１１０９は装置本体Ａ００１に対して装填、離脱可能に設けられた画像情報格納手段としての外部記憶媒体（図１ないし図３のＣＦカードＡ１０７等に相当）で、コンパクトフラッシュカードやスマートメディアなどからなり、記録すべき画像やテンプレートデータなどが予め格納されている。１１０８は装置本体Ａ００１に装填された外部記憶媒体１１０９へのアクセス手段（媒体情報読み出し手段）であり、制御手段１１０１からの指令によって外部記憶媒体１１０９に対してアクセスすると共に、外部記憶媒体１１０９から読み出したデータを制御手段１１０１へと転送するようになっている。
【００６１】
次に図１６ないし図１８のフローチャートと共に上記構成を有する本実施形態の動作を説明する。
まず、電源が投入されると、制御手段１１０１は各部を起動し、必要な初期化を行い（ステップ１，２）、その後、現在設定されているモードを判断する（ステップ３）。次に、一定時間内に動作開始指令があったか否かを判断し（ステップ４）、動作開始指令が入力されるまでステップ３，４を繰り返し、待機状態に入る。なお、ここで述べるモードとは、撮影、再生、記録、及びPC接続などの動作が動作開始指令によって実行可能である状態を意味する。
【００６２】
一方、一定時間内に動作開始指令が入力されると、選択モードに応じた動作が実行される（ステップ５）。
【００６３】
例えば、動作開始指令によって再生モードの実行が選択されると、制御手段１１０１は、外部記憶媒体１１０９に格納された画像情報の中から再生すべき画像の選択操作を促す所定の表示を表示手段１１０３にて行う。その後、ユーザが、表示手段にて表示される予め設定した手順に従って、１つまたは複数の再生画像を選択すると、その選択画像の画像情報が外部記憶媒体１１０９から読み出され、表示手段１１０３によって表示される。
【００６４】
また、図１６に示す初期化動作の後、画像の記録を行おうとする場合、ユーザは、操作手段１１０２を介して設定モードを図１７に示す記録モードに遷移させる。この記録モードでは、まず、制御手段１１０１が媒体情報読み取り手段１１０６を作動させ、プリンタ部Ｂ１００に装填されたメディアパックＣ１００に設けられた媒体格納手段１１０から、メディアパックＣ１００内に収納された記録媒体に関する情報を読み出し（ステップ２１）、その情報を制御手段１１０１内の所定の記憶領域に格納する（ステップ２２）。この媒体情報の授受を行う形態としては、例えばメディアパックＣ１００に設けられたROMに書き込まれた媒体情報を、制御手段１１０１が読み取り手段１１０６を介して読み出す方法や、メディアパックＣ１００に光学的、あるいは磁気的に記録されたマーカーを媒体情報読み取り手段としての光学センサー、あるいは磁気センサーによって検出し、その検出データに基づき媒体情報を判別する方法など、種々の方法が適用可能である。
【００６５】
この記録モードでは、様々なサブモードの選択、記録画像の選択、記録実行動作などの指示を行うことが可能であり、この指示が行われるまで待機状態となる。そして、いずれかの動作指示が行われると、制御部１１０１はその指示に従ってモードの設定を行い（ステップ２４，２５）、記録画像の選択（ステップ２６，２７）、あるいは画像の記録動作（ステップ２８，２９）を行う。
【００６６】
いま、例えば、ステップ２５において、サブモードの一つである定型記録モードの選択が指示されたとすると、図１８のフローチャートに示すような動作が実行される。
この定型記録モードを設定するためには、表示手段１１０３の支援のもとに操作手段１１０２を操作してモードを移す作業が必要となる。このとき制御手段１１０１は、プログラムされた動作手順に従い各部の制御を行い、ユーザーの意志を確認しつつモードを遷移させていく。
【００６７】
そして、定型記録モードが設定されると、制御手段１１０１は、定められた方法に従って外部記憶手段１１０９にアクセスし、格納されているテンプレート情報を読み出す（ステップ３１）。
次に、ユーザー選択の情報を与えるために、読み出されたテンプレート情報を適当に加工して表示手段１１０３に表示する（ステップ３２）。表示された情報は、テンプレートから得られるデザイン情報をグラフィカルに視覚化したものでも良いし、文字化したものでも良い。ユーザーはこれらの中から所望のパターンを選び、操作手段１１０２を介して入力する。すると、制御手段１１０１は使用すべきテンプレートを確定し（ステップ３３）、さらに外部記憶手段１１０９から取得した情報を解析してそのテンプレートを記録する上で必要となる記録媒体の種類を決定する（ステップ３４）。
【００６８】
なお、前記ステップ３３において外部記憶手段１１０９から取得した情報の中に、テンプレートに有効な情報が含まれていなかった場合は、その旨をユーザーに通知してその後の動作指示を促すようにすることも可能であるし、あるいはデフォルトとして使われる用紙を予め決めておき、その用紙が指示されたものとして扱うように構成することも可能である。
【００６９】
次に、１１０１はテンプレートの記録に必要とされる記録媒体の種類（記録すべき画像データ）と、装填されている記録媒体の種類とを比較し（ステップ３５）、これらが相違している場合は、その旨を表示手段１１０３によって表示する（ステップ３６）。この警告表示を行った後の動作としては、図中の実線にて示すように、ユーザーに指示を促して記録動作を可能とするか（ステップ３７）、あるいは図中の鎖線にて示すようにステップ３１へと移行し、記録動作を停止させることが考えられる。
【００７０】
また、上記ステップ３５において、比較すべき情報としては、Ａ４／Ｂ４などで表される記録媒体の寸法形状、あるいは縦横比などの寸法形状、さらにはその記録媒体で再現可能な画像の品位などがある。また、比較結果の表示形態として、形成すべき画像の種類と記録媒体の種類との適合の程度を判定し、判定された適合の程度に基づき、段階的に前記表示手段よる表示内容を変更するか、あるいは、形成すべき画像の種類と記録媒体の種類との不適合の程度を記録結果にもたらす影響の程度として判定し、その判定結果に基づき表示手段１０３による表示内容を段階的に変更するといったことも可能である。
【００７１】
例えば、画像サイズのなどが異なっている場合には、記録動作によって機内にインクが飛散し、機内の汚損や破損を招くという重大な事態を招くことになる。
このため、こうした重要な情報の表示は、ユーザーに対してより大きな警戒を促す表示を行うようにする。これに対し、例えば、記録解像度に比して、画像サイズが小さく、印刷用紙にあわせて拡大や補間処理を行うと、記録結果として画像品位が劣化するといった比較的被害程度の低い問題を生じる不適合については、過剰な警戒を惹起させないような表示を行う。このように、表示内容を判定結果の程度に応じて変更するようにすれば、ユーザーはその表示内容に基づきより適切な処置を採ることが可能となる。
【００７２】
また、適合の程度に応じて、単に表示を変更するだけではなく、重度の不適合状態の場合には、使用者による所定の操作を受付けるまで、モードに応じた動作の実行を中止し、軽度の不適合状態の場合には、警告音または警告表示を行って、使用者に軽度に不適合が合ったことを認識させるようにしても良いし、この場合には、ユーザーは不適合状態に応じて、より適切な処置を採ることが可能となる。
【００７３】
以上の処理を行った後、貼り付ける画像の選択、枚数指定などの記録条件設定を行い（ステップ３７）、記録動作の実行の可否について確認した後（ステップ３８）、記録動作可能状態にある場合には、図１７のステップ２８，２９に示すように記録開始指令が入力された時点で、記録動作を行う。
【００７４】
なお、上記実施形態においては、形成すべき画像の種類と使用する記録媒体の種類との適合状態を表示手段によって告知するようにしたが、告知手段としては音声発生手段を用いることも可能である。
【００７５】
【発明の効果】
以上、説明した通り、本発明は、記録部に供給される記録媒体の種類を判別すると共に、画像情報によって形成すべき画像の種類を判別し、各々の判別結果に基づき、形成すべき画像の種類と記録媒体の種類との適合状態を判定し、その判定結果に基づき記録に関する所定の動作、例えば、記録動作の駆動／停止制御あるいは、適合状態の告知などを行うようにしたため、不適切な記録動作が行われることによる無駄を回避することができ、記録動作のコスト低減を図ることが可能になると共に、記録剤が記録媒体以外の個所に記録されて装置の汚損や損傷が発生するのを防止することが可能になるという効果がある。
【図面の簡単な説明】
【図１】本発明を適用可能な情報処理機器であるプリンタ内蔵カメラの正面図である。
【図２】図１に示す機器の斜め前方からの斜視図である。
【図３】図１に示す機器の斜め後方からの斜視図である。
【図４】図１に示す機器に装着可能なメディアパックの斜視図である。
【図５】図１に示す機器の内部における主要構成部の配置関係を示す斜視図である。
【図６】図５における画像記録部の斜視図である。
【図７】図６の画像記録部の一部を取り外した斜視図である。
【図８】図６の画像記録部におけるキャリッジの斜視図である。
【図９】図６の画像記録部におけるプリント媒体搬送系の構成部分の斜視図である。
【図１０】図６の画像記録部におけるインク供給系の構成部分の斜視図である。
【図１１】図１０のインク供給系の構成部分にメディアパックが装着されたときの平面図である。
【図１２】図１に示す機器おける撮像部と画像記録部の概略ブロック構成図である。
【図１３】図１２の撮像部における信号処理の説明図である。
【図１４】図１２の画像記録部における信号処理の説明図である。
【図１５】本発明の一実施形態における制御系の概略構成を示すブロック図である。
【図１６】本発明の一実施形態における全体的動作を示すフローチャートである。
【図１７】本発明の一実施形態における記録モード設定時の動作を示すフローチャートである。
【図１８】本発明の一実施形態における定型記録モード設定時の動作を示すフローチャートである。
【符号の説明】
Ａ００１  装置本体
Ａ００２  挿入部
Ａ１００  カメラ部
Ａ１０１  レンズ
Ａ１０２  ファインダー
Ａ１０２ａ  ファインダー窓
Ａ１０３  ストロボ
Ａ１０４  レリーズボタン
Ａ１０５  液晶表示部（外部表示部）
Ａ１０７  コンパクトフラッシュメモリカード（ＣＦカード）
Ａ１０８  電池
Ａ１０９  排出部
Ｂ１００  プリンタ部（記録装置部）
Ｂ１０１  ＬＦローラ
Ｂ１０２  ＬＦピンチローラ
Ｂ１０３  プラテン
Ｂ１０４  キャリッジ
Ｂ１０５  ガイド軸
Ｂ１０６  リードスクリュー
Ｂ１０７  軸受け
Ｂ１０８  軸受け
Ｂ１０９  スクリューピン
Ｂ１１０  ばね
Ｂ１２０  記録ヘッド
Ｂ１２１  インク吐出口
Ｂ１２２  ニードル
Ｂ１２３  供給エアー口
Ｂ１２４  ニードルカバー
Ｂ１３１  エンコーダセンサ
Ｂ１３２  リニアスケール
Ｂ１３３  ＨＰフラグ
Ｂ１３４  ＨＰセンサ
Ｂ１４１  スクリューギア
Ｂ１４２  アイドラギア
Ｂ１４３  モータギア
Ｂ１５０  フレキシブルケーブル
Ｂ２０１  排紙ローラ
Ｂ２０２  排紙ローラギア
Ｂ２０３  中継ギア
Ｂ２０４  ＬＦローラギア
Ｂ２１１  切り替えスライダ
Ｂ２１２  切り替えカム
Ｂ２１３  圧板ヘッド
Ｂ３０１  ジョイントフォーク
Ｂ３０２  供給ジョイント
Ｂ３０３  供給チューブ
Ｂ３０４  ポンプシリンダ
Ｂ３０５  ジョイントリフタ
Ｂ３１０  吸引キャップ
Ｂ３１１  吸引チューブ
Ｂ３１２  廃液チューブ
Ｂ３１３  廃液ジョイント
Ｂ３１５  ポンプユニット
Ｂ３１６  ワイパーリフタ
Ｂ３２１  ポンプＨＰセンサ
Ｂ３２２  ジョイントＨＰセンサ
Ｂ３２３  シャーシ
Ｃ１００  メディアパック
Ｃ１０１  パック本体
Ｃ１０２  シャッター
Ｃ１０２Ａ  窓部
Ｃ１０３  インクパック
Ｃ１０４  プリント媒体
Ｃ１０５  ジョイント
Ｃ１０６  ワイパー
Ｃ１０７  インク吸収体
Ｃ１１０  給紙ローラ
Ｃ１１０ａ  連結部
Ｍ００１  キャリッジモータ
Ｍ００２  搬送モータ
Ｍ００３  ジョイントモータ
Ｍ００４  ポンプモータ
１０１  ＣＣＤ
１０２  マイク
１０３  ＡＳＩＣ
１０４  第１メモリ
１０５  ＣＦカード（「ＣＦカードＡ１０７」に相当）
１０６  ＬＣＤ（「液晶表示部Ａ１０５」に相当）
１０７  レンズ
１２０  第１ＣＰＵ
２０１  画像処理部
２０２  第２メモリ
２０３  バンドメモリ制御部
２０４  バンドメモリ
２０５  マスクメモリ
２０６  ヘッド制御部
２０７  記録ヘッド（「記録ヘッドＢ１２０」に相当）
２０８  エンコーダ（「エンコーダセンサＢ１３１」に相当）
２０９  エンコーダカウンタ
２１０  インターフェース
２２０  第２ＣＰＵ
２２１  モータドライバ
２２２  モータ（「モータＭ００１，Ｍ００２，Ｍ００３，Ｍ００４」に相当）
２２３  センサ（「ＨＰセンサＢ１３４，Ｂ３２１，Ｂ３２２」を含む）
２２４  ＥＥＰＲＯＭ
２３０  音声エンコーダ部
２５０  電源部（「電池Ａ１０８」に相当）
１１０１  制御手段
１１０２  操作手段
１１０３  表示手段
１１０４  記録制御手段
１１０５  記録データ作成手段
１１０６  媒体情報読み取り手段
１１０７  記録手段
１１０８  外部ストレージアクセス手段
１１０９  外部記憶媒体
１１１０  媒体情報格納手段
【図１】
0004532710.tif 000002
【図２】
0004532710.tif 000003
【図３】
0004532710.tif 000004
【図４】
0004532710.tif 000005
【図５】
0004532710.tif 000006
【図６】
0004532710.tif 000007
【図７】
0004532710.tif 000008
【図８】
0004532710.tif 000009
【図９】
0004532710.tif 000010
【図１０】
0004532710.tif 000011
【図１１】
0004532710.tif 000012
【図１２】
0004532710.tif 000013
【図１３】
0004532710.tif 000014
【図１４】
0004532710.tif 000015
【図１５】
0004532710.tif 000016
【図１６】
0004532710.tif 000017
【図１７】
0004532710.tif 000018
【図１８】
0004532710.tif 000019